(57)【要約】 【課題】地上波デジタル放送受信機においてテレビジョン放送及びデジタルラジオ双方の放送をどちらも受信可能にすること。【解決手段】アンテナ２１で受信された受信信号はミキサー２４で第１の中間周波信号に変換され、このＩＦ信号はＩＦフィルタ２６に入力され、地上デジタルテレビジョン放送を受信するための帯域幅或いは同第１の中間周波信号を地上デジタルラジオ放送を受信するための帯域幅のいずれか一方の帯域幅の第２の中間周波信号にされる。従って、制御部３０によってこのＩＦフィルタ２６の帯域制限幅を切り替えることにで、デジタルテレビジョン及びデジタルラジオ双方の放送をどちらも選択的に受信可能となり、所望の放送の復調信号をＩＳＤＢ−Ｔ／ＩＳＤＢ−ＴＳＢ復調器２８によって得ることができる。【選択図】図３
2007104588.tif 000002
【特許請求の範囲】
【請求項１】
地上デジタルテレビジョン及び地上デジタルラジオ放送の双方が受信可能な地上デジタル放送用チューナモジュールであって、
受信ＲＦ信号を周波数変換して第１の中間周波信号にする第１の周波数変換部と、
前記第１の中間周波信号を地上デジタルテレビジョン放送を受信するための帯域幅の第2の中間周波信号を生成する第１の帯域制限部と、
前記第１の中間周波信号を地上デジタルラジオ放送を受信するための帯域幅の第３の中間周波信号を生成する第２の帯域制限部と、
前記第２の中間周波信号と前記第３の中間周波信号のいずれか一方を選択する選択部と、
前記選択部により選択された中間周波信号を復調する復調部と
を具備することを特徴とする地上デジタル放送用チューナモジュール。
【請求項２】
地上デジタルテレビジョン及び地上デジタルラジオ放送の双方が受信可能な地上デジタル放送用チューナモジュールであって、
受信ＲＦ信号を周波数変換して第１の中間周波信号に変換する第１の周波数変換部と、
前記第１の中間周波信号を地上デジタルテレビジョン放送を受信するための帯域幅或いは同第１の中間周波信号を地上デジタルラジオ放送を受信するための帯域幅のいずれか一方の帯域幅の第２の中間周波信号にする第１の帯域制限部と、
前記第１の帯域制限部を制御して前記第２の中間周波信号の帯域幅を選択する選択制御部と、
前記選択制御部の制御により選択されることにより前記第２の周波数変換部から出力される中間周波信号を復調する復調部と、
を具備することを特徴とする地上デジタル放送用チューナモジュール。
【請求項３】
前記地上デジタルテレビジョン放送を受信するための帯域幅は６ＭＨｚで、前記地上デジタルラジオ放送を受信するための帯域幅は４ＭＨｚであることを特徴とする請求項１または２記載の地上デジタル放送用チューナモジュール。
【請求項４】
地上デジタルテレビジョン及び地上デジタルラジオ放送の双方が受信可能な地上デジタル放送用受信機であって、
地上デジタルテレビジョン放送及び地上デジタルラジオ放送を受信するアンテナと、
受信ＲＦ信号を周波数変換して第１の中間周波信号にする第１の周波数変換部と、
前記第１の中間周波信号を地上デジタルテレビジョン放送を受信するための帯域幅の第2の中間周波信号を生成する第１の帯域制限部と、
前記第１の中間周波信号を地上デジタルラジオ放送を受信するための帯域幅の第３の中間周波信号を生成する第２の帯域制限部と、
前記第２の中間周波信号と前記第３の中間周波信号のいずれか一方を選択する選択部と、
前記選択部により選択された中間周波信号を復調する復調部と、
前記復調信号をデコードして画像信号及び音声信号を出力するデコード部と、
を具備することを特徴とする地上デジタル放送用受信機。
【請求項５】
地上デジタルテレビジョン及び地上デジタルラジオ放送の双方が受信可能な地上デジタル放送用受信機であって、
地上デジタルテレビジョン放送及び地上デジタルラジオ放送を受信するアンテナと、
受信ＲＦ信号を周波数変換して第１の中間周波信号に変換する第１の周波数変換部と、
前記第１の中間周波信号を地上デジタルテレビジョン放送を受信するための帯域幅或いは同第１の中間周波信号を地上デジタルラジオ放送を受信するための帯域幅のいずれか一方の帯域幅の第２の中間周波信号にする第１の帯域制限部と、
前記第２の周波数変換部を制御して前記第２の中間周波信号の帯域幅を選択する選択制御部と、
前記選択制御部の制御により選択されて前記第２の周波数変換部から出力される中間周波信号を復調する復調部と、
前記復調信号をデコードして画像信号及び音声信号を出力するデコード部と、
を具備することを特徴とする地上デジタル放送用受信機。
【請求項６】
前記地上デジタルテレビジョン放送を受信するための帯域幅は６ＭＨｚで、前記地上デジタルラジオ放送を受信するための帯域幅は４ＭＨｚであることを特徴とする請求項４または５記載の地上デジタル放送用受信機。
【発明の詳細な説明】
【技術分野】
【０００１】
本発明は、地上デジタル放送用受信機に係り、特に地上デジタルテレビジョン放送（ＩＳＤＢ−Ｔ）と地上デジタルラジオ放送（ＩＳＤＢ−ＴＳＢ）の双方を受信可能とする地上デジタル放送用チューナモジュールに関する。
【背景技術】
【０００２】
放送（ＩＳＤＢ−Ｔ）は、図４に周波数配列の一例を示すように、帯域幅４２９ｋＨｚのセグメントを１３個連結してＯＦＤＭ変調し、占有帯域幅６ＭＨｚで伝送するテレビジョン放送である。１３個のセグメントのうち、中央１個は部分受信セグメントと呼ばれ、このセグメントのみ抜き出して受信可能であり、これを利用した携帯向けテレビジョンサービスが２００６年より開始される予定である。
【０００３】
一方、地上デジタルラジオ放送（ＩＳＤＢ−ＴＳＢ）は、同様に図５に示すように、ＶＨＦ６ＣＨとＶＨＦ８ＣＨのアナログテレビジョン放送帯域の間に設定され、帯域幅４２９ｋＨｚのセグメントを８個連結してＯＦＤＭ変調し、占有帯域幅４ＭＨｚのＶＨＦ７ｃｈで東京と大阪で現在試験放送がなされている。将来的にはセグメントを１３個連結して放送される。音声放送では、各セグメントで独立にサービスを行い、受信機は任意の１セグメント若しくは３セグメントを受信することで各サービスを受けられる。
【０００４】
地上デジタルテレビジョン放送用受信機は、一般的に１３セグメント全てを受信する、占有帯域幅６ＭＨｚのチューナモジュール（例えば特許文献１参照）を使用する。一方、テレビジョン放送の携帯向けサービス、及びデジタルラジオ放送を受信するチューナモジュール（例えば特許文献２参照）は、低消費電力の観点から、１セグメント若しくは３セグメントのみを受信するチューナモジュールが一般的である。
【特許文献１】特開２００１−３４６１１０号公報  （第４頁、第１図）
【特許文献２】特開２００３−１７９５１３号公報  （第６頁、第１図）
【発明の開示】
【発明が解決しようとする課題】
【０００５】
そこで、テレビジョン放送とデジタルラジオ放送をそれぞれ独立した受信機で受信すると、それぞれの受信機を適当な場所に設置しなければならずスペース性が悪いと共に、ユーザがそれぞれの放送を切り替えて視聴する時に各受信機が離れた場所に置いてある場合など、極めて操作性が悪くなる。そこで、１台でテレビジョン放送及びデジタルラジオ双方の放送をどちらも受信可能なチューナモジュール及びそれを用いた受信機の開発が要請されている。
【０００６】
本発明は前記事情に鑑み案出されたものであって、本発明の目的は、テレビジョン放送及びデジタルラジオ双方の放送をどちらも受信可能な地上デジタル放送用チューナモジュール及びこのモジュールを用いた地上デジタル放送用受信機を提供することにある。
【課題を解決するための手段】
【０００７】
本発明は上記目的を達成するため、地上デジタルテレビジョン及び地上デジタルラジオ放送の双方が受信可能な地上デジタル放送用チューナモジュールであって、受信ＲＦ信号を周波数変換して第１の中間周波信号にする第１の周波数変換部と、前記第１の中間周波信号を地上デジタルテレビジョン放送を受信するための帯域幅の第２の中間周波信号にする第１の帯域制限部と、前記第１の中間周波信号を地上デジタルラジオ放送を受信するための帯域幅の第３の中間周波信号にする第２の帯域制限部と、前記第２の中間周波信号と前記第３の中間周波信号のいずれか一方を選択する選択部と、前記選択部により選択された中間周波信号を復調する復調部とを具備する。
【０００８】
また、本発明は、地上デジタルテレビジョン及び地上デジタルラジオ放送の双方が受信可能な地上デジタル放送用チューナモジュールであって、受信ＲＦ信号を周波数変換して第１の中間周波信号に変換する第１の周波数変換部と、前記第１の中間周波信号を地上デジタルテレビジョン放送を受信するための帯域幅或いは同第１の中間周波信号を地上デジタルラジオ放送を受信するための帯域幅のいずれか一方の帯域幅の第２の中間周波信号にする第１の帯域制限部と、前記第１の帯域制限部を制御して前記第２の中間周波信号の帯域幅を選択する選択制御部と、前記選択制御部の制御により選択されて前記第２の周波数変換部から出力される中間周波信号を復調する復調部とを具備する。
【０００９】
このように本発明では、地上デジタル放送の受信信号を周波数変換して第１中間周波信号に変換した後、この第１中間周波信号から地上デジタルテレビジョン放送受信帯域を有する第２の中間周波信号と地上デジタルラジオ放送受信帯域を有する第３の中間周波信号を生成する２系統の中間周波信号生成回路を装備し、受信したい放送に応じて第２、第３中間周波信号のいずれか一方を復調することにより、１個のチューナモジュールで地上デジタルテレビジョンとデジタルラジオ双方の放送をどちらも受信可能とすることができる。
【００１０】
また、上記第１の中間周波信号を地上デジタルテレビジョン放送を受信するための帯域幅或いは、地上デジタルラジオ放送を受信するための帯域幅のいずれか一方の帯域幅に選択的に制限する１個のフィルタ回路を有する１系統の中間周波生成回路を設けることにより、所望の隣接除去特性を有し、より回路規模が小さい１個のチューナモジュールで、地上デジタルテレビジョン及びデジタルラジオ双方の放送を良好な特性で選択的に受信することができ、これにより、設置時のスペース性が良好な地上デジタル放送用受信機を実現することができる。
【発明の効果】
【００１１】
本発明によれば、受信信号の周波数を変換して得られる第１の中間周波信号を地上デジタルテレビジョン放送を受信するための帯域幅とする第１の帯域制限部と、地上デジタルラジオ放送を受信するための帯域幅とする第２の帯域制限部との２系統の帯域制限部を装備するか、若しくは、上記第１の中間周波信号を地上デジタルテレビジョン放送を受信するための帯域幅或いは、地上デジタルラジオ放送を受信するための帯域幅のいずれか一方の帯域幅に選択的に制限する１系統の帯域幅制限部を設けることにより、１個のチューナモジュールで地上デジタルテレビジョンとデジタルラジオ双方の放送のどちらも選択的に受信可能とすることができ、このチューナモジュールを搭載することによって１台で地上デジタルテレビジョン及びデジタルラジオ双方の放送を受信可能として、設置時のスペース効率が良好なデジタル放送受信機を実現することができる。
【発明を実施するための最良の形態】
【００１２】
地上デジタルテレビジョン及びデジタルラジオ双方の放送をどちらも受信可能なチューナモジュール及びこのモジュールを用いた地上デジタル放送用受信機を実現する目的を、受信信号の周波数を変換して得られる第１の中間周波信号を地上デジタルテレビジョン放送を受信するための帯域幅とする第１の帯域制限部と、地上デジタルラジオ放送を受信するための帯域幅とする第２の帯域制限部との２系統の帯域制限部を装備するか、若しくは、上記第１の中間周波信号を地上デジタルテレビジョン放送を受信するための帯域幅或いは、地上デジタルラジオ放送を受信するための帯域幅のいずれか一方の帯域幅に選択的に制限する１系統の帯域幅制限部を設けることによって実現した。
【実施例１】
【００１３】
図１は本発明の第１の実施形態に係わる地上デジタル放送用受信機の構成を示したブロック図である。地上デジタル放送用受信機は、アンテナ１、ＲＦフィルタ２、ＲＦアンプ３、ミキサー４、第１ＩＦ（中間周波）アンプ５、ＩＦ（中間周波）フィルタ６Ａ、ＩＦ（中間周波）フィルタ６Ｂ、第２ＩＦ（中間周波）アンプ７Ａ、第２ＩＦ（中間周波）アンプ７Ｂ、放送切替スイッチ８、ＰＬＬ９、ＩＳＤＢ−Ｔ／ＩＳＤＢ−ＴＳＢ復調器１０、ＭＰＥＧ２／ＡＣＣデコーダ１１、Ｈ．２６４（ＡＶＣ）デコーダ１２、及び受信帯域切替制御などの個別制御及び受信機全体の制御を行う制御部１３、操作パネル１４を有して構成されている。なお、破線で囲んだ部分が２系統のＩＦ回路で構成された地上デジタルテレビジョン放送及び地上デジタルラジオ放送の双方に対応するチューナモジュール部分である。
【００１４】
次に本実施形態の動作について説明する。アンテナ１から入力された受信信号（受信ＲＦ信号）は、ＰＬＬ９の発生周波数に同調するＲＦフィルタ２で帯域制限され、ＲＦアンプ３で増幅された後、ミキサー４に入力される。ミキサー４はＰＬＬ９から入力される周波数信号と受信信号を混合して受信周波数よりも低い５７ＭＨｚの第１の中間周波数（ＩＦ）に変換する。
【００１５】
このＩＦ信号は第１ＩＦアンプ５で増幅された後、２系統に分配される。テレビジョン放送受信時、第１ＩＦアンプ５から出力されたＩＦ信号はテレビジョン放送用のＩＦフィルタ６Ａによって６ＭＨｚの帯域に制限され、第２ＩＦアンプ７Ａで増幅されてスイッチ８の端子ａに入力され、このスイッチが端子ａ側に切り替わっている。そのため、６ＭＨｚの帯域に制限された中間周波信号はＩＳＤＢ−Ｔ／ＩＳＤＢ−ＴＳＢ復調器１９で復調され、ＭＰＥＧ２／ＡＣＣデコーダ１１に入力されて、画像信号１００と音声信号２００にデコードされて出力される。
【００１６】
一方、デジタル音声放送受信時、第１ＩＦアンプ５から出力されたＩＦ信号はデジタル音声放送用のＩＦフィルタ６Ｂにより、４ＭＨｚの帯域に制限され、第２ＩＦアンプ７Ｂで増幅され、さらにスイッチ１８を介してＩＳＤＢ−Ｔ／ＩＳＤＢ−ＴＳＢ復調器１９に入力される。ＩＳＤＢ−Ｔ／ＩＳＤＢ−ＴＳＢで復調された復調信号は、ＭＰＥＧ２／ＡＣＣデコーダ１１に入力されて、音声信号２００にデコードされて出力され、同時にＨ．２６４（ＡＶＣ）デコーダ１２に入力されて画像信号３００にデコードされて出力される。
【００１７】
制御部１３は操作部１４から入力されるユーザ指令に基づいてスイッチ８を切り替え、デジタルテレビジョン放送受信時は端子ａに、デジタルラジオ放送受信時は端子ｂに切り替えることにより、所望の放送を１台の受信機で選択視聴することができる。
【００１８】
本実施形態によれば、１台の受信機にテレビジョン放送受信用のＩＦ回路と音声放送受信用のＩＦ回路の２系統のＩＦ回路を搭載し、受信したい放送に応じてそれを切り替えることにより、所望の放送を１台の受信機で選択視聴することができる。
【００１９】
なお、地上デジタルテレビジョン放送受信か或いは、デジタルラジオ放送受信かを切り替える構成は、ＩＦフィルタ６Ａ，６Ｂの後でも良く、図２に示すような回路構成で実現することができる。この場合は、第２ＩＦアンプは１個で済み、回路の部品点数を減らすことができる。
【００２０】
ここで、ＩＦフィルタ６Ａ及び６Ｂは一般的に急峻な減衰能力をもつＳＡＷフィルタを用いるが、上記した第１の実施形態では２種類の帯域制限フィルタを使用しなければならず、回路規模が大きくなってしまう。また、デジタルラジオが実施されている周波数のみ取り出すため、ＲＦ入力で帯域制限をかける方法も考えられるが、８ｃｈでデジタルラジオ放送を実施する場合に対応が難しい。そこで、これらの問題点を解決する地上デジタル放送用受信機について以下に述べる。
【実施例２】
【００２１】
図３は本発明の第２の実施形態に係わる地上デジタル放送用受信機の構成を示したブロック図である。地上デジタル放送用受信機は、アンテナ２１、ＲＦフィルタ２２、ＲＦアンプ２３、ミキサー２４、第１ＩＦ（中間周波）アンプ２５、ＩＦ（中間周波）フィルタ２６、第２ＩＦ（中間周波）アンプ２７、ＩＳＤＢ−Ｔ／ＩＳＤＢ−ＴＳＢ復調器２８、ＰＬＬ２９，制御部３０、操作パネル３１及び出力端子４０を有して構成されている。なお、破線で囲んだ部分が１系統のＩＦ回路で構成された地上デジタルテレビジョン放送及び地上デジタルラジオ放送の双方に対応するチューナモジュール部分である。
【００２２】
次に本実施形態の動作について説明する。アンテナ２１から入力された受信信号（受信ＲＦ信号）は、ＰＬＬ２９に周波数的に同調するＲＦフィルタ２２で帯域制限された後、ＲＦアンプ２３で増幅されてミキサー２４に入力される。ミキサー２４は受信信号とＰＬＬ２９から供給される選曲に応じて変化する周波数の信号を混合して受信周波数よりも低い５７ＭＨｚの第１の中間周波数（ＩＦ）に変換する。このＩＦ信号は、第１ＩＦアンプ２５により増幅されてからＩＦフィルタ２６で帯域制限され、第２ＩＦアンプ２７による増幅後、ＩＳＤＢ−Ｔ／ＩＳＤＢ−ＴＳＢ復調器２８に入力されて復調され、出力端子４０に復調信号としてＭＰＥＧ−２ＴＳを出力する。なお、ＭＰＥＧ−２ＴＳ以降の構成及び処理は第１の実施形態と同様であるため、図示及び説明は省略する。
【００２３】
ここで、ＩＦフィルタ２６は、制御部３０からの帯域切り替え信号により通過帯域を切り替え可能なフィルタである。そのため、ＶＨＦ７ｃｈ若しくは８ｃｈで放送されている地上デジタルラジオ放送受信時には、４ＭＨｚの帯域制限とすることにより、図３に示す８セグメントのみを抽出し、隣接で放送されているアナログテレビジョン放送の信号を除去することができる。復調器２８は８つのセグメントのうち、任意の１セグメント、もしくはその１セグメントに隣接する３セグメントのデータを復調し、出力端子４０に復調信号としてＭＰＥＧ−２ＴＳを出力する。また、地上デジタルテレビジョン放送受信時に、ＩＦフィルタ６は、同様に、制御部３０からの帯域切り替え信号によって通過帯域を６ＭＨｚに切り替えられ、図２に示す１３セグメントを抽出し、隣接信号を除去する。ここで、ＩＦフィルタ２６の帯域制限幅の切替は、例えばこのフィルタ回路の諸特性を変化させることにより行うことができる。
【００２４】
本実施形態によれば、ＩＦフィルタ２６として、デジタルラジオ放送受信時とデジタルテレビジョン放送受信時に応じて，その通過帯域を切り替え可能な１種類のフィルタを用いることで、チューナモジュールの回路規模を第１の実施形態に比べて著しく小さくすることができる。
【００２５】
尚、本発明は上記実施形態に限定されることなく、その要旨を逸脱しない範囲において、具体的な構成、機能、作用、効果において、他の種々の形態によっても実施することができる。
【図面の簡単な説明】
【００２６】
【図１】本発明の第１の実施形態に係わる地上デジタル放送用受信機の構成を示したブロック図である。
【図２】図１に示した地上デジタル放送用受信機の他の実施例を示したブロック図である。
【図３】本発明の第２の実施形態に係わる地上デジタル放送用受信機の構成を示したブロック図である。
【図４】地上デジタルテレビジョン放送（ＩＳＤＢ−Ｔ）の周波数配列の一例を説明する図である。
【図５】地上デジタルラジオ放送（ＩＳＤＢ−ＴＳＢ）の周波数配列の一例を説明する図である。
【符号の説明】
【００２７】
１、２１……アンテナ、２、２２……ＲＦフィルタ、３、２３……ＲＦアンプ、４、２４……ミキサー、５、２５……第１ＩＦ（中間周波）アンプ、６Ａ、６Ｂ、２６……ＩＦ（中間周波）フィルタ、７、７Ａ、７Ｂ、２７……第２ＩＦ（中間周波）アンプ、８……放送切替スイッチ、９、２９……ＰＬＬ、１０、２８……ＩＳＤＢ−Ｔ／ＩＳＤＢ−ＴＳＢ復調器、１１……ＭＰＥＧ２／ＡＣＣデコーダ、１２……Ｈ．２６４（ＡＶＣ）デコーダ、１３、３０……制御部、１４、３１……操作パネル、４０……出力端子。
【図１】
2007104588.tif 000003
【図２】
2007104588.tif 000004
【図３】
2007104588.tif 000005
【図４】
2007104588.tif 000006
【図５】
2007104588.tif 000007